(57)【要約】【課題】ユーザから離れた位置にある無線タグからデータを読み取る場合であっても、無線タグからのデータの読み取り結果を容易に手元で見ることができるハンディーリーダーを提供する。【解決手段】データを記憶する無線タグとの間で無線通信を行うことにより無線タグに記憶されたデータを読み取るアンテナ部と、アンテナ部により無線タグから読み取ったデータを表示する表示部を搭載する携帯端末を着脱可能に固定する固定部材と、携帯端末との間で無線通信を行うことにより前記データを送受信する通信部と、を備えることにより、携帯端末をハンディーリーダー本体から分離して使用できるので、ユーザから離れた位置にある無線タグからデータを読み取る場合であっても、無線タグからのデータの読み取り結果を容易に手元で見ることができる。【選択図】図１
2010224640.tif 000002
【特許請求の範囲】
【請求項１】
データを記憶する無線タグとの間で無線通信を行うことにより前記無線タグに記憶されたデータを読み取るアンテナ部と、
前記アンテナ部により前記無線タグから読み取った前記データを表示する表示部を搭載する携帯端末を着脱可能に固定する固定部材と、
前記携帯端末との間で無線通信を行うことにより前記データを送受信する通信部と、
を備えたことを特徴とするハンディーリーダー。
【請求項２】
前記固定部材は、前記携帯端末が搭載する前記表示部が視認可能な態様で前記携帯端末を固定することを特徴とする請求項１に記載のハンディーリーダー。
【請求項３】
前記固定部材は、前記携帯端末が搭載する操作部を、握り部を握った手の親指で操作可能な態様で前記携帯端末を固定することを特徴とする請求項１または２に記載のハンディーリーダー。
【請求項４】
前記通信部は、ブルートゥースにより前記携帯端末との間で無線通信を行うことを特徴とする請求項１から３のいずれか一に記載のハンディーリーダー。
【発明の詳細な説明】
【技術分野】
【０００１】
本発明は、ハンディーリーダーに関する。
【背景技術】
【０００２】
図書館などにおいて書庫に収められた書籍等に付されたＲＦＩＤ（Radio  Frequency  Identification）タグなどの無線タグと、電磁界や電波などを用いた近距離の無線通信によって情報をやりとりするハンディーリーダーが普及している。
【０００３】
例えば、特許文献１には、無線タグから無線通信によって情報をやりとりする手持ち式ユーザ入力／出力ユニットであって、ＰＤＡ（Personal  Digital  Assistant）装置がドッキングコネクタに結合し、更に、様々な幅のＰＤＡ装置をその中に収納することが可能な空洞のようなドッキングポートを備えた手持ち式ユーザ入力／出力ユニットが開示されている。
【発明の概要】
【発明が解決しようとする課題】
【０００４】
しかしながら上記特許文献１に記載の手持ち式ユーザ入力／出力ユニットによれば、市販のＰＤＡ装置の間の操作上の連結が可能となるが、手持ち式ユーザ入力／出力ユニットとＰＤＡ装置とが一体として用いられるため、ユーザから離れた位置にある無線タグと情報をやりとりする場合、手持ち式ユーザ入力／出力ユニットおよびＰＤＡ装置をユーザの手元から離れた位置に移動させなければならないので、無線タグとの間での無線通信による情報のやりとりの結果を手元で見ることができない、という課題がある。
【０００５】
本発明は、上記に鑑みてなされたものであって、ユーザから離れた位置にある無線タグと情報をやりとりする場合であっても、無線タグからの情報の読み取り結果を容易に手元で見ることができるハンディーリーダーを提供することを目的とする。
【課題を解決するための手段】
【０００６】
上述した課題を解決し、目的を達成するために、本発明は、データを記憶する無線タグとの間で無線通信を行うことにより前記無線タグに記憶されたデータを読み取るアンテナ部と、前記アンテナ部により前記無線タグから読み取った前記データを表示する表示部を搭載する携帯端末を着脱可能に固定する固定部材と、前記携帯端末との間で無線通信を行うことにより前記データを送受信する通信部と、を備えたことを特徴とする。
【発明の効果】
【０００７】
本発明にかかるハンディーリーダーは、ユーザから離れた位置にある無線タグからデータを読み取る場合であっても、無線タグからのデータの読み取り結果を容易に手元で見ることができる、という効果を奏する。
【図面の簡単な説明】
【０００８】
【図１】図１は、ＲＦＩＤタグ読取り機を側面側から見た外観形態を示す斜視図である。
【図２】図２は、ＰＤＡを取り外したＲＦＩＤタグ読取り機を側面側から見た概観形態を示す斜視図である。
【図３】図３は、ＲＦＩＤタグ読取り機を側面側から見た外観形態を示す斜視図である。
【図４】図４は、ＲＦＩＤタグ読取り機の縦断面図である。
【図５】図５は、ＰＤＡのＲＦＩＤタグ読取り機への固定方法を説明するための図である。
【図６】ＰＤＡを正面側、右側、および左側から見た外観形態を示す図である。
【図７】ＰＤＡのブロック図である。
【発明を実施するための形態】
【０００９】
以下に添付図面を参照して、この発明にかかるハンディーリーダーの最良な実施の形態を詳細に説明する。
【００１０】
本発明の実施の形態を図１ないし図７に基づいて説明する。本実施の形態では、バッテリを搭載し、ユーザが片手で持って使用できるＲＦＩＤタグの読取り機（以下、ＲＦＩＤタグ読取り機とする）をハンディーリーダーとして適用した例である。
【００１１】
図１は、ＲＦＩＤタグ読取り機を側面側から見た外観形態を示す斜視図である。図２は、ＰＤＡを取り外したＲＦＩＤタグ読取り機を側面側から見た概観形態を示す斜視図である。図３は、ＲＦＩＤタグ読取り機を側面側から見た外観形態を示す斜視図である。図４は、ＲＦＩＤタグ読取り機の縦断面図である。図１に示すように、本実施の形態にかかるＲＦＩＤタグ読取り機１０１は、大別すると、本体部１０３と、アンテナ部１０４と、を備えて構成される。
【００１２】
アンテナ部１０４は、データを記憶するＲＦＩＤ（Radio  Frequency  Identification）タグ（無線タグ）との間で無線通信を行うことによりＲＦＩＤタグに記憶されたデータを読み取るものである。アンテナ部１０４はＲＦＩＤタグ読取り機１０１が備える部品の中でも重い部品の一つである。そのため、アンテナ部１０４は、本体部１０３が備えるグリップ１０５（後述する）付近に重心がくるように、グリップ１０５に対向する位置に配置されている。
【００１３】
本体部１０３は、略Ｌ字形状に形成されており、グリップ１０５、表示部１０６、ストラップ取付け部１０７、スタートＳＷ１０８、固定部材１１０、レバー１１４、バッテリ１１５、ＲＦ−ＰＣＢ１１７、デジタルＰＣＢ１１８、およびＰＣＢ１１９を備えて構成される。
【００１４】
グリップ１０５は、略Ｌ字形状に形成された本体部１０３の両端部を連結するように略Ｌ字状に形成されており、ユーザがＲＦＩＤタグ読取り機１０１を使用する際に片手で握ることができる握り部である。
【００１５】
スタートＳＷ（スイッチ）１０８は、グリップ１０５の側面に設けられ、アンテナ部１０４によるＲＦＩＤタグとの間での無線通信のＯＮ／ＯＦＦを切り替えるものである。本実施の形態では、スタートＳＷ１０８は、ナイロン等の弾性を有する材料により構成され、クリープ対策として押下時以外は荷重がかからない構造となっている。
【００１６】
固定部材１１０は、ＰＤＡ（Personal  Digital  Assistant）１０２を着脱可能に固定するものである。ＰＤＡ１０２は、アンテナ部１０４により読み取ったデータを表示する表示部１０９およびＲＦＩＤタグ読取り機１０１を操作する操作部１１１を備えるものである。本実施の形態では、固定部材１１０は、グリップ１０５のアンテナ部１０４側の端部近傍に設けられ、レール１１０ａおよび爪部１１０ｂを備えて構成される。
【００１７】
レール１１０ａは、ＰＤＡ１０２の裏面（表示部１０９が設けられた面と反対側の面）に設けられたホルダー１１２を嵌め込むためのものである。爪部１１０ｂは、同じくＰＤＡ１０２の裏面に設けられた爪部（図示しない）と係合するものである。
【００１８】
図５は、ＰＤＡのＲＦＩＤタグ読取り機への固定方法を説明するための図である。図５に示すように、ＰＤＡ１０２の裏面に設けられたホルダー１１２をレール１１０ａに嵌め込み、矢印で示す方向にＰＤＡ１０２をスライドさせることにより、ＰＤＡ１０２の裏面に設けられた爪部（図示しない）と爪部１１０ｂとが係合してＰＤＡ１０２は取り外し不能となる。つまり、固定部材１１０は、表示部１０９が視認可能かつグリップ１０５を握った手の親指で操作部１１１を操作可能な態様で、ＰＤＡ１０２を固定する。これにより、ＰＤＡ１０２がＲＦＩＤタグ読取り機１０１に固定されかつＲＦＩＤタグにアンテナ部１０４を向けて当該ＲＦＩＤタグに記憶されるデータを読み取っている際も、表示部１０９に表示されたデータを容易に確認することができ、ＰＤＡ１０２が備える操作部１１１の操作も容易に行うことができる。
【００１９】
また、後述するレバー１１４を押下することにより、ＰＤＡ１０２の裏面に設けられた爪部（図示しない）と爪部１１０ｂとの係合が解除され、ＰＤＡ１０２を図５に示す矢印と反対方向にスライドさせることにより、ＰＤＡ１０２は取り外し可能となる。
【００２０】
なお、本実施の形態では、固定部材１１０はレール１１０ａおよび爪部１１０ｂを備えて構成されているが、ＰＤＡ１０２を着脱可能に固定するものであれば、これに限定するものではない。例えば、固定部材１１０に磁石（例えば、Ｓ極）を用い、ＰＤＡ１０２の裏面の設けられた磁石（例えば、Ｎ極）との引き合いにより、ＰＤＡ１０２を着脱可能に固定しても良い。
【００２１】
レバー１１４は、グリップ１０５のアンテナ部１０４側の端部近傍に設けられ、爪部１１０ｂとＰＤＡ１０２の裏面に設けられた爪部（図示しない）との係合を解除するものである。
【００２２】
ＰＣＢ（Printed  Circuit  Board）１１９は、グリップ１０５内に内蔵され、メインＳＷ１１３、ブルートゥースモジュール１２０、バッテリ接点端子１１６等を実装した基板である。
【００２３】
ブルートゥースモジュール１２０は、ＰＣＢ１１９上に実装され、ブルートゥースによるＰＤＡ１０２との無線通信を行うことにより、アンテナ部１０４によりＲＦＩＤタグから読み取ったデータをＰＤＡ１０２に送信するためのモジュールである。なお、本実施の形態では、ＰＤＡ１０２との無線通信を行うための機器としてブルートゥースモジュール１２０を用いているが、ＰＤＡ１０２と無線通信を行うものであれば、これに限定するものではない。例えば、無線ＬＡＮによりＰＤＡ１０２との無線通信を行う機器であっても良い。
【００２４】
メインＳＷ１１３は、ＰＣＢ１１９上であって、グリップ１０５のアンテナ部１０４側の端部と反対側の端部近傍に実装され、ＲＦＩＤタグ読取り機１０１の電源のＯＮ／ＯＦＦを切り替えるものである。本実施の形態では、メインＳＷ１１３には、小型のシーソーＳＷを使用する。
【００２５】
バッテリ１１５は、アンテナ部１０４と同様、ＲＦＩＤタグ読取り機１０１が備える部品の中でも重い部品の一つであるため、グリップ１０５のアンテナ部１０４側の端部と反対側の端部近傍に配置され、ＲＦＩＤタグ読取り機１０１全体に電力を供給するものである。
【００２６】
バッテリ接点端子１１６は、ＰＣＢ１１９上に実装され、バッテリ１１５から供給される電力をＰＣＢ１１９上に実装された各種電子部品に伝える。
【００２７】
表示部１０６は、４つのＬＥＤ（Light  Emitting  Diode）を備え、各ＬＥＤはアンテナ部１０４による無線通信が行われていること、ブルートゥースモジュール１２０による無線通信が行われていること、メインＳＷ１１３によるＲＦＩＤタグ読取り機１０１の電源のＯＮ／ＯＦＦ、およびＲＦＩＤタグ読取り機１０１で発生したエラーを通知するものである。
【００２８】
本実施の形態では、表示部１０６のＬＥＤには、チップＬＥＤ（側面発光）を使用し、本体部１０３内部に搭載された各種ＰＣＢに隣接して搭載されたＬＥＤ基板であるデジタルＰＣＢ１１８上に実装される。
【００２９】
デジタルＰＣＢ１１８は、アンテナ部１０４と表示部１０６との間に設けられ、表示部１０６が備えるＬＥＤ、および当該ＬＥＤの発光を制御する電子部品を実装するものである。
【００３０】
ＲＦ−ＰＣＢ１１７は、デジタルＰＣＢ１１８に隣接して設けられ、アンテナ部１０４によるＲＦＩＤタグとの無線通信を制御する電子部品を実装するものである。
【００３１】
ストラップ取付け部１０７は、本体部１０３の側面に設けられ、ユーザの手首などを通すストラップを取り付けるものである。
【００３２】
ここで、図６および図７を用いて、ＲＦＩＤタグ読取り機１０１に着脱可能に固定されるＰＤＡ１０２について簡単に説明する。図６は、ＰＤＡを正面側、右側、および左側から見た外観形態を示す図である。図７は、ＰＤＡのブロック図である。
【００３３】
ＰＤＡ１０２は、図６に示すように、表示部１０９、操作部１１１、ホルダー１１２、電源キー６０１、バーコード読取り口６０２、インジケータ６０３、Ｌトリガーキー６０４、センタートリガーキー６０５、Ｒトリガーキー６０６、Ｉ／Ｏボックス端子６０７、および充電池バックカバー６０８を備えて構成される。
【００３４】
表示部１０９は、カラー液晶ディスプレイであり、アンテナ部１０４により読み取ったデータなどの各種データを表示するものである。
【００３５】
操作部１１１は、０〜９、かな、およびアルファベット表記を入力可能なテンキーなどを備えるキーボードであって、ＲＦＩＤタグ読取り機１０１およびＰＤＡ１０２を操作するものである。
【００３６】
ホルダー１１２は、表示部１０９が設けられた面と反対側の面に設けられ、ＲＦＩＤタグ読取り機１０１が備えるレール１１０ａに嵌め込まれるものである。
【００３７】
電源キー６０１は、ＰＤＡ１０２の電源のＯＮ／ＯＦＦを切り替えるためのキーである。バーコード読取り口６０２は、図示しないバーコード読取り機により商品に付されたバーコードを読み取るための部位である。インジケータ６０３は、充電確認用のＬＥＤおよび動作状態確認用のＬＥＤを備えるものである。Ｌトリガーキー６０４、センタートリガーキー６０５、およびＲトリガーキー６０６は、ＰＤＡ１０２が備える各種機能の実行を指示するキーである。Ｉ／Ｏボックス端子６０７は、充電器などに接続する際の接続端子である。充電池バックカバー６０８は、ＰＤＡ１０２が備えるバッテリ（充電池）のカバーである。
【００３８】
また、ＰＤＡ１０２は、演算装置・制御装置としてのＣＰＵ（Central  Processing  Unit）７０１が設けられている。このＣＰＵ７０１には、アドレスバス、データバスなどのバスライン７０２を介して、ＲＯＭ（Read  Only  Memory）７０３、ＲＡＭ（Random  Access  Memory）７０４、キーボードコントローラ７０５、表示コントローラ７０６、および通信インターフェース７０７がそれぞれ接続されている。
【００３９】
ＲＯＭ７０３には、ＣＰＵ７０１によって読み出されて当該ＣＰＵ７０１を様々な機能として働かせるプログラムや当該プログラムによるデータ処理の対象となる固定的なデータが格納されている。
【００４０】
ＲＡＭ７０４には、プログラムによるデータ処理の作業領域となるワークエリアなどの様々なメモリエリアが動的に形成される。
【００４１】
キーボードコントローラ７０５は、操作部１１１からの入力信号を処理し、操作されたキーに対応するキーコードなどをバスライン７０２に送出するものである。
【００４２】
表示コントローラ７０６は、表示部１０９を制御し、ＣＰＵ７０１などからの指令に応じてバスライン７０２を介して通信インターフェース７０７から受け取ったデータなどに基づく情報を表示部１０９に表示させる。
【００４３】
通信インターフェース７０７は、無線ＬＡＮやブルートゥースなどの無線通信機器からなり、ＲＦＩＤタグ読取り機１０１が備えるアンテナ部１０４によりＲＦＩＤタグから読み取ったデータを受信し、バスライン７０２を介して受信したデータを表示コントローラ７０６に出力する。
【００４４】
次に、本実施の形態にかかるＲＦＩＤタグ読取り機１０１の使用状況について説明する。例えば、図書館において書庫の上段に収められた書籍に付されたＲＦＩＤタグと無線通信によりデータをやりとりする場合、ＰＤＡ１０２をＲＦＩＤタグ読取り機１０１から分離し、ＲＦＩＤタグ読取り機１０１だけを書籍に近づけることにより、ＰＤＡ１０２の表示部１０９に表示されたデータをユーザの手元で確認することができる。また、書庫の中段から下段に収められた書籍に付されたＲＦＩＤタグと無線通信によりデータをやりとりする場合、固定部材１１０によりＰＤＡ１０２をＲＦＩＤタグ読取り機１０１に固定したままＲＦＩＤタグからデータを読み取ることにより、表示部１０９に表示されたデータを容易に確認することができ、かつＰＤＡ１０２が備える操作部１１１の操作も容易に行うことができる。
【００４５】
このように、本実施の形態にかかるＲＦＩＤタグ読取り機１０１によれば、ＲＦＩＤタグに記憶されたデータを読み取るアンテナ部１０４と、ＰＤＡ１０２を着脱可能に固定する固定部材１１０と、ＰＤＡ１０２とブルートゥースにより無線通信を行うことによりアンテナ部１０４によりＲＦＩＤタグから読み取ったデータをＰＤＡ１０２に送信するブルートゥースモジュール１２０と、を備えることにより、ＰＤＡ１０２をＲＦＩＤタグ読取り機１０１から分離して使用できるので、ユーザから離れた位置にあるＲＦＩＤタグからデータを読み取る場合であっても、ＲＦＩＤタグからのデータの読取り結果を容易に手元で見ることができる。
【００４６】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４７】
１０１  ハンディーリーダー
１０２  ＰＤＡ
１０４  アンテナ部
１０５  グリップ
１０９  表示部
１１０  固定部材
１１１  操作部
１２０  ブルートゥースモジュール
【先行技術文献】
【特許文献】
【００４８】
【特許文献１】特表２００６−５０２４７１号公報
【図１】
2010224640.tif 000003
【図２】
2010224640.tif 000004
【図３】
2010224640.tif 000005
【図４】
2010224640.tif 000006
【図５】
2010224640.tif 000007
【図６】
2010224640.tif 000008
【図７】
2010224640.tif 000009